(57)【要約】  本発明の実施形態は端末を提供し、端末は、手で端末を保持したとき手との間にキャパシタを形成するように構成された導電性シートと、導電性シートに接続されたプロセッサであって、キャパシタの容量を検出し、検出された容量、および容量と保持ジェスチャとの間の事前設定された対応関係に従って、端末に対する保持ジェスチャを決定するように構成されたプロセッサとを含む。本発明の実施形態では、導電性シートが端末内に配置され、手で端末を保持した場合、導電性シートは手との間にキャパシタを形成する。異なる保持ジェスチャを用いて端末が保持された場合、端末内の導電性シートと手の間に形成されたキャパシタの容量は異なり、容量と保持ジェスチャとの間の対応関係はこの差を用いて事前設定される。したがって、実際の検出中に、端末に対する保持ジェスチャは、キャパシタの検出された容量と事前設定された対応関係とに従ってマッチングを実施することにより決定され得る。
2016538648.tif 000002
【特許請求の範囲】
【請求項１】
端末であって、
手で前記端末を保持したとき前記手との間に少なくとも１つのキャパシタを形成するように構成された少なくとも１つの導電性シートと、
前記少なくとも１つの導電性シートと接続されたプロセッサであって、前記少なくとも１つのキャパシタの容量を検出し、前記検出された容量、および容量と保持ジェスチャとの間の事前設定された対応関係に従って、前記端末に対する保持ジェスチャを決定するように構成されたプロセッサと
を備えることを特徴とする端末。
【請求項２】
前記少なくとも１つの導電性シートは、前記端末の左辺および右辺に、またはその付近にそれぞれ配置された第１の導電性シートおよび第２の導電性シートを備え、
手で前記端末を保持したとき前記手との間に少なくとも１つのキャパシタを形成するように構成された前記少なくとも１つの導電性シートは、特に、
前記手で前記端末を保持したとき前記手との間に第１のキャパシタおよび第２のキャパシタをそれぞれ形成する前記第１の導電性シートおよび前記第２の導電性シートであり、
前記少なくとも１つの導電性シートと接続された前記プロセッサであって、前記少なくとも１つのキャパシタの容量を検出し、前記検出された容量、および容量と保持ジェスチャとの間の事前設定された対応関係に従って、前記端末に対する保持ジェスチャを決定するように構成された前記プロセッサは、特に、
前記第１の導電性シートおよび前記第２の導電性シートに別々に接続された前記プロセッサであって、前記第１のキャパシタおよび前記第２のキャパシタの容量を別々に検出し、前記検出された容量と、前記容量と前記保持ジェスチャとの間の前記事前設定された対応関係とに従って、前記端末に対する前記保持ジェスチャを決定するように構成された前記プロセッサである
ことを特徴とする請求項１に記載の端末。
【請求項３】
前記容量と前記保持ジェスチャとの間の前記事前設定された対応関係は、
前記第１のキャパシタの前記容量が前記第２のキャパシタの前記容量より大きい場合に、前記端末に対する前記保持ジェスチャが左手での保持であると決定すること、または、
前記第１のキャパシタの前記容量が前記第２のキャパシタの前記容量より小さい場合に、前記端末に対する前記保持ジェスチャが右手での保持であると決定すること
を備えることを特徴とする請求項２に記載の端末。
【請求項４】
前記容量と前記保持ジェスチャとの間の前記事前設定された対応関係は、
前記第１のキャパシタの前記容量と前記第２のキャパシタの前記容量との差が第１の閾値より大きい場合に、前記端末に対する前記保持ジェスチャが左手での保持であると決定すること、または、
前記第２のキャパシタの前記容量と前記第１のキャパシタの前記容量との差が第２の閾値より大きい場合に、前記端末に対する前記保持ジェスチャが右手での保持であると決定すること
を備えることを特徴とする請求項２に記載の端末。
【請求項５】
前記容量と前記保持ジェスチャとの間の前記事前設定された対応関係は、
容量データが第１のデータセットに属する場合に、前記端末に対する前記保持ジェスチャが左手での保持であると決定することであって、前記容量データは前記第１のキャパシタの前記容量および前記第２のキャパシタの前記容量により形成され、前記第１のデータセットは事前に決定されたデータセットであり、前記第１のデータセットは左手での保持に対応する、決定すること、または、
容量データが第２のデータセットに属する場合に、前記端末に対する前記保持ジェスチャが右手での保持であると決定することであって、前記第２のデータセットは事前に決定されたデータセットであり、前記第２のデータセットは前記右手での保持に対応する、決定すること
を備えることを特徴とする請求項２に記載の端末。
【請求項６】
前記容量データは、前記第１のキャパシタの前記容量である水平座標と、前記第２のキャパシタの前記容量である垂直座標とを有するデータ点であり、前記第１のデータセットおよび前記第２のデータセットは座標系における座標領域であることを特徴とする請求項５に記載の端末。
【請求項７】
前記第１の導電性シートおよび前記第２の導電性シートは、前記端末の左辺と右辺の間の中央線に沿って対称的に配置されることを特徴とする請求項２乃至６のいずれか一項に記載の端末。
【請求項８】
前記プロセッサは容量検出チップおよびＣＰＵを備え、前記容量検出チップは前記ＣＰＵに接続され、前記容量検出チップは前記第１の導電性シートおよび前記第２の導電性シートに別々に接続され、
前記容量検出チップは、前記第１のキャパシタおよび前記第２のキャパシタの前記容量を別々に検出するように構成され、
前記ＣＰＵは、前記検出された容量と、前記容量と前記保持ジェスチャとの間の前記事前設定された対応関係とに従って、前記端末に対する前記保持ジェスチャを決定するように構成された
ことを特徴とする請求項２乃至７のいずれか一項に記載の端末。
【請求項９】
前記容量検出チップは複数のピンを備え、前記第１の導電性シートは第１の導線を用いて前記複数のピンのうちの第１のピンに接続され、前記第２の導電性シートは第２の導線を用いて前記複数のピンのうちの第２のピンに接続され、
前記複数のピンは第３のピンおよび第４のピンをさらに備え、前記第３のピンは第３の導線に接続され、前記第３の導線は前記第１の導線と平行に配置され、前記第４のピンは第４の導線に接続され、前記第４の導線は前記第２の導線と平行に配置される
ことを特徴とする請求項８に記載の端末。
【請求項１０】
前記少なくとも１つの導電性シートは第３の導電性シートを含み、前記第３の導電性シートは前記端末の左辺または右辺に配置され、または前記第３の導電性シートは前記端末の背面に配置され、前記少なくとも１つのキャパシタは前記第３の導電性シートおよび前記手により形成された第３のキャパシタであり、
前記容量と前記保持ジェスチャとの間の前記事前設定された対応関係は、
前記第３のキャパシタの容量が第１の値の範囲に属する場合に、前記端末に対する前記保持ジェスチャが左手での保持であると決定すること、または
前記第３のキャパシタの容量が第２の値の範囲に属する場合に、前記端末に対する前記保持ジェスチャが右手での保持であると決定すること
を備えることを特徴とする請求項１に記載の端末。
【請求項１１】
前記少なくとも１つの導電性シートのうちの導電性シートの長さは６センチメートル以上であり、前記少なくとも１つの導電性シートのうちの前記導電性シートの幅は１．５ミリメートル以上であることを特徴とする請求項１乃至１０のいずれか一項に記載の端末。
【請求項１２】
前記少なくとも１つの導電性シートのうちの導電性シートは、銅板、フレキシブルプリント回路ＦＰＣ、ＳＵＳ鋼板、および黒鉛のうちのいずれか１つであることを特徴とする請求項１乃至１１のいずれか一項に記載の端末。
【請求項１３】
前記プロセッサは容量検出チップおよびＣＰＵを備え、
前記容量検出チップは、前記少なくとも１つの導電性シートに接続され、前記少なくとも１つのキャパシタの前記容量を検出するように構成され、
前記ＣＰＵは、前記容量検出チップに接続され、前記検出された容量、および容量と保持ジェスチャとの間の前記事前設定された対応関係に従って、前記端末に対する前記保持ジェスチャを決定するように構成された
ことを特徴とする請求項１に記載の端末。
【請求項１４】
前記プロセッサはＣＰＵであることを特徴とする請求項１に記載の端末。
【請求項１５】
前記プロセッサは容量検出チップであることを特徴とする請求項１に記載の端末。
【請求項１６】
端末であって、
容量性タッチパネルであって、手が前記容量性タッチパネルをタッチした際の容量変化を生成するように構成された容量性タッチパネルと、
前記容量変化に応じて、前記手がタッチした前記容量性タッチパネル上の対応するタッチ領域を決定し、前記タッチ領域、およびタッチ領域と保持ジェスチャとの間の事前設定された対応関係に従って、前記端末に対する保持ジェスチャを決定するように構成されたプロセッサと
を備えることを特徴とする端末。
【請求項１７】
前記タッチ領域と前記保持ジェスチャとの間の前記事前設定された対応関係は、
前記容量性タッチパネルを３つのタッチ領域に事前に分割することであって、第１のタッチ領域は、前記左手で前記端末を保持したとき前記左手の親指によりタップまたはスライドされる前記容量性タッチパネル上の領域であり、第２のタッチ領域は、前記左手で前記端末を保持したとき前記左手の掌と接触する前記容量性タッチパネル上の領域であり、第３のタッチ領域は、前記右手で前記端末を保持したとき前記右手の掌と接触する前記容量性タッチパネル上の領域である、分割することと、
前記第１のタッチ領域および前記第２のタッチ領域に容量変化があった場合に、左手での保持が、前記端末に対する前記保持ジェスチャであると決定すること、または、
前記第１のタッチ領域および前記第３のタッチ領域に容量変化があった場合に、右手での保持が、前記端末に対する前記保持ジェスチャであると決定することと
を備えることを特徴とする請求項１６に記載の端末。
【請求項１８】
前記タッチ領域と前記保持ジェスチャとの間の前記事前設定された対応関係は、
前記容量性タッチパネルを３つのタッチ領域に事前に分割することであって、第１のタッチ領域は、前記右手で前記端末を保持したとき前記右手の親指によりタップまたはスライドされる前記容量性タッチパネル上の領域であり、第２のタッチ領域は、前記右手で前記端末を保持したとき前記右手の掌と接触する前記容量性タッチパネル上の領域であり、第３のタッチ領域は、前記左手で前記端末を保持したとき前記左手の掌と接触する前記容量性タッチパネル上の領域である、分割することと、
前記第１のタッチ領域および前記第２のタッチ領域に容量変化があった場合に、右手での保持が、前記端末に対する前記保持ジェスチャであると決定すること、または、
前記第１のタッチ領域および前記第３のタッチ領域に容量変化があった場合に、左手での保持が、前記端末に対する前記保持ジェスチャであると決定することと
を備えることを特徴とする請求項１６に記載の端末。
【発明の詳細な説明】
【技術分野】
【０００１】
本発明の実施形態は通信の分野に関し、より詳細には端末に関する。
【背景技術】
【０００２】
本出願は、２０１３年１１月２７に中国特許庁に出願され、「ＴＥＲＭＩＮＡＬ」と題された中国特許出願第２０１３１０６１８０４５．０号の優先権を主張し、その全体が本明細書に引用により組み込まれている。
【０００３】
今日、大画面の携帯電話の人気が高まっているが、携帯電話の画面が大きくなるにつれて、携帯電話の画面全体を片手で操作することはより難しくなる。
【０００４】
前述の問題に関して、従来技術では手動タッピングの方式を用いて画面上の操作インターフェースを切り替え、それによって異なる保持ジェスチャ（holding gesture）（たとえば、左手での保持、右手での保持、または両手での保持）の場合の操作に適応する。たとえば、ユーザが右手で携帯電話を保持し、番号をダイヤルしようとした場合、ユーザは親指を用いて画面上の選択ボタンをタップし、右手で操作を実施可能な領域に仮想キーボードを切り替え、番号をダイヤルする。
【０００５】
しかしながら、左手または右手で実施される切り替えの前述の方式では、ユーザは切り替えをタッピングにより完了する必要があり、これにより操作が大変困難になり、十分に知的ではない。
【発明の概要】
【０００６】
本発明の実施形態は、端末に対する保持ジェスチャを決定可能な端末を提供する。
【０００７】
第１の態様によれば、端末であって、手で端末を保持したとき手との間に少なくとも１つのキャパシタを形成するように構成された少なくとも１つの導電性シート（conductive sheet）と、少なくとも１つの導電性シートと接続されたプロセッサであって、少なくとも１つのキャパシタの容量を検出し、検出された容量、および容量と保持ジェスチャとの間の事前設定された対応関係（correspondence）に従って、端末に対する保持ジェスチャを決定するように構成されたプロセッサとを含む端末が提供される。
【０００８】
第１の態様に関連して、第１の態様の実装方式において、少なくとも１つの導電性シートは、端末の左辺および右辺に、またはその付近にそれぞれ配置された第１の導電性シートおよび第２の導電性シートを含み、手で端末を保持したとき手との間に少なくとも１つのキャパシタを形成するように構成された少なくとも１つの導電性シートは、特に、手で端末を保持したとき手との間に第１のキャパシタおよび第２のキャパシタをそれぞれ形成する第１の導電性シートおよび第２の導電性シートであり、少なくとも１つの導電性シートと接続されたプロセッサであって、少なくとも１つのキャパシタの容量を検出し、検出された容量、および容量と保持ジェスチャとの間の事前設定された対応関係に従って、端末に対する保持ジェスチャを決定するように構成されたプロセッサは、特に、第１の導電性シートおよび第２の導電性シートに別々に接続されたプロセッサであって、第１のキャパシタおよび第２のキャパシタの容量を別々に検出し、検出された容量、および容量と保持ジェスチャとの間の事前設定された対応関係に従って、端末に対する保持ジェスチャを決定するように構成されたプロセッサである。
【０００９】
第１の態様または前述の実装方式のいずれか１つに関連して、第１の態様の他の実装方式において、容量と保持ジェスチャとの間の事前設定された対応関係は、第１のキャパシタの容量が第２のキャパシタの容量より大きい場合に、端末に対する保持ジェスチャが左手での保持であると決定すること、または、第１のキャパシタの容量が第２のキャパシタの容量より小さい場合に、端末に対する保持ジェスチャが右手での保持であると決定することを含む。
【００１０】
第１の態様または前述の実装方式のいずれか１つに関連して、第１の態様の他の実装方式において、容量と保持ジェスチャとの間の事前設定された対応関係は、第１のキャパシタの容量と第２のキャパシタの容量との差が第１の閾値より大きい場合に、端末に対する保持ジェスチャが左手での保持であると決定すること、または、第２のキャパシタの容量と第１のキャパシタの容量との差が第２の閾値より大きい場合に、端末に対する保持ジェスチャが右手での保持であると決定することを含む。
【００１１】
第１の態様または前述の実装方式のいずれか１つに関連して、第１の態様の他の実装方式において、容量と保持ジェスチャとの間の事前設定された対応関係は、容量データが第１のデータセットに属する場合に、端末に対する保持ジェスチャが左手での保持であると決定することであって、容量データは第１のキャパシタの容量および第２のキャパシタの容量により形成され、第１のデータセットは事前に決定されたデータセットであり、第１のデータセットは左手での保持に対応する、決定すること、または、容量データが第２のデータセットに属する場合に、端末に対する保持ジェスチャが右手での保持であると決定することであって、第２のデータセットは事前に決定されたデータセットであり、第２のデータセットは右手での保持に対応する、決定することを含む。
【００１２】
第１の態様または前述の実装方式のいずれか１つに関連して、第１の態様の他の実装方式において、容量データは、第１のキャパシタの容量である水平座標と、第２のキャパシタの容量である垂直座標とを有するデータ点であり、第１のデータセットおよび第２のデータセットは座標系における座標領域である。
【００１３】
第１の態様または前述の実装方式のいずれか１つに関連して、第１の態様の他の実装方式において、第１の導電性シートおよび第２の導電性シートは、端末の左辺と右辺の間の中央線に沿って対称的に配置される。
【００１４】
第１の態様または前述の実装方式のいずれか１つに関連して、第１の態様の他の実装方式において、プロセッサは容量検出チップおよびＣＰＵを含み、容量検出チップはＣＰＵに接続され、容量検出チップは第１の導電性シートおよび第２の導電性シートに別々に接続され、容量検出チップは、第１のキャパシタおよび第２のキャパシタの容量を別々に検出するように構成され、ＣＰＵは、検出された容量、および容量と保持ジェスチャとの間の事前設定された対応関係に従って、端末に対する保持ジェスチャを決定するように構成される。
【００１５】
第１の態様または前述の実装方式のいずれか１つに関連して、第１の態様の他の実装方式において、容量検出チップは複数のピンを含み、第１の導電性シートは第１の導線（conductive wire）を用いて複数のピンのうちの第１のピンに接続され、第２の導電性シートは第２の導線を用いて複数のピンのうちの第２のピンに接続され、複数のピンは第３のピンおよび第４のピンをさらに含み、第３のピンは第３の導線に接続され、第３の導線は第１の導線と平行に配置され、第４のピンは第４の導線に接続され、第４の導線は第２の導線と平行に配置される。
【００１６】
第１の態様または前述の実装方式のいずれか１つに関連して、第１の態様の他の実装方式において、少なくとも１つの導電性シートは第３の導電性シートを含み、第３の導電性シートは端末の左辺または右辺に配置され、または第３の導電性シートは端末の背面に配置され、少なくとも１つのキャパシタは第３の導電性シートおよび手により形成された第３のキャパシタであり、容量と保持ジェスチャとの間の事前設定された対応関係は、第３のキャパシタの容量が第１の値の範囲に属する場合に、端末に対する保持ジェスチャが左手での保持であると決定すること、または第３のキャパシタの容量が第２の値の範囲に属する場合に、端末に対する保持ジェスチャが右手での保持であると決定することを含む。
【００１７】
第１の態様または前述の実装方式のいずれか１つに関連して、第１の態様の他の実装方式において、少なくとも１つの導電性シートのうちの導電性シートの長さは６センチメートル以上であり、少なくとも１つの導電性シートのうちの導電性シートの幅は１．５ミリメートル以上である。
【００１８】
第１の態様または前述の実装方式のいずれか１つに関連して、第１の態様の他の実装方式において、少なくとも１つの導電性シートのうちの導電性シートは、銅板、ＦＰＣ、ＳＵＳ鋼板、および黒鉛のうちのいずれか１つである。
【００１９】
第１の態様または前述の実装方式のいずれか１つに関連して、第１の態様の他の実装方式において、プロセッサは容量検出チップおよびＣＰＵを含み、容量検出チップは、少なくとも１つの導電性シートに接続され、少なくとも１つのキャパシタの容量を検出するように構成され、ＣＰＵは、容量検出チップに接続され、検出された容量、および容量と保持ジェスチャとの間の事前設定された対応関係に従って、端末に対する保持ジェスチャを決定するように構成される。
【００２０】
第１の態様または前述の実装方式のいずれか１つに関連して、第１の態様の他の実装方式において、プロセッサはＣＰＵである。
【００２１】
第１の態様または前述の実装方式のいずれか１つに関連して、第１の態様の他の実装方式において、プロセッサは容量検出チップである。
【００２２】
第２の態様によれば、端末であって、容量性タッチパネル（capacitive touch panel）であって、手が容量性タッチパネルをタッチした際の容量変化を生成するように構成された容量性タッチパネルと、容量変化に応じて、手がタッチした容量性タッチパネル上の対応するタッチ領域を決定し、タッチ領域、およびタッチ領域と保持ジェスチャとの間の事前設定された対応関係に従って、端末に対する保持ジェスチャを決定するように構成されたプロセッサとを含む端末が提供される。
【００２３】
第２の態様に関連して、第２の態様の実装方式において、タッチ領域と保持ジェスチャとの間の事前設定された対応関係は、容量性タッチパネルを３つのタッチ領域に事前に分割することであって、第１のタッチ領域は、左手で端末を保持したとき左手の親指によりタップまたはスライドされる容量性タッチパネル上の領域であり、第２のタッチ領域は、左手で端末を保持したとき左手の掌と接触する容量性タッチパネル上の領域であり、第３のタッチ領域は、右手で端末を保持したとき右手の掌と接触する容量性タッチパネル上の領域である、分割することと、第１のタッチ領域および第２のタッチ領域に容量変化があった場合に、左手での保持が、端末に対する保持ジェスチャであると決定すること、または、第１のタッチ領域および第３のタッチ領域に容量変化があった場合に、右手での保持が、端末に対する保持ジェスチャであると決定することとを含む。
【００２４】
第２の態様または前述の実装方式のいずれか１つに関連して、第２の態様の他の実装方式において、タッチ領域と保持ジェスチャとの間の事前設定された対応関係は、容量性タッチパネルを３つのタッチ領域に事前に分割することであって、第１のタッチ領域は、右手で端末を保持したとき右手の親指によりタップまたはスライドされる容量性タッチパネル上の領域であり、第２のタッチ領域は、右手で端末を保持したとき右手の掌と接触する容量性タッチパネル上の領域であり、第３のタッチ領域は、左手で端末を保持したとき左手の掌と接触する容量性タッチパネル上の領域である、分割することと、第１のタッチ領域および第２のタッチ領域に容量変化があった場合に、右手での保持が、端末に対する保持ジェスチャであると決定すること、または、第１のタッチ領域および第３のタッチ領域に容量変化があった場合に、左手での保持が、端末に対する保持ジェスチャであると決定することとを含む。
【００２５】
本発明の実施形態では、少なくとも１つの導電性シートが端末内に配置され、手で端末を保持する場合、少なくとも１つの導電性シートは別々に手との間にキャパシタを形成する。異なる保持ジェスチャを用いて端末が保持された場合、端末内の導電性シートと手の間に形成されたキャパシタの容量は異なり、容量と保持ジェスチャとの間の対応関係はこの差を用いて設定される。したがって、実際の検出中に、端末に対する保持ジェスチャは、キャパシタの検出された容量と事前設定された対応関係とに従ってマッチングを実施することにより決定され得る。
【図面の簡単な説明】
【００２６】
本発明の実施形態における技術的解決方法をより明確に説明するために、以下、本発明の実施形態を説明するために必要な添付図面を簡単に紹介する。明らかに、以下の説明における添付図面は、本発明のいくつかの実施形態を示すものにすぎず、当業者はこれらの添付図面から他の図面を創造的な努力がなくとも導き出すことができる。
【図１】本発明の実施形態による端末の概略的ブロック図である。
【図２】本発明の実施形態による端末内に導電性シートを配置する方式の例示的な図である。
【図３】本発明の実施形態による端末内に導電性シートを配置する方式の例示的な図である。
【図４】本発明の実施形態による異なる保持ジェスチャに対応する座標領域の図である。
【図５】本発明の実施形態による端末のプロセッサの例示的な図である。
【図６】容量検出チップと導電性シートの間の接続関係の例示的な図である。
【図７】本発明の実施形態による端末内の導電性シートを配置する方式の例示的な図である。
【図８】本発明の他の実施形態による端末の概略的ブロック図である。
【図９】左手で端末を保持した場合の左手と接触している容量性タッチパネル上の領域の概略図である。
【図１０】右手で端末を保持した場合の右手と接触している容量性タッチパネル上の領域の概略図である。
【図１１】容量性タッチパネルの接触領域における容量変化の概略図である。
【図１２】容量性タッチパネルの接触領域における容量変化の他の概略図である。
【図１３】本発明の実施形態による端末に対するタッチ領域分割の例示的な図である。
【図１４】本発明の実施形態による端末に対する保持ジェスチャを検出するための方法のフローチャートである。
【発明を実施するための形態】
【００２７】
以下、本発明の実施形態における添付図面を参照して本発明の実施形態における技術的解決方法を明確かつ完全に説明する。明らかに、記載された実施形態は、本発明の実施形態の一部であるが全部ではない。当業者により本発明の実施形態に基づいて創造的な努力なしで得られる全ての他の実施形態は、本発明の保護範囲に入るものとする。
【００２８】
本発明の実施形態における端末は、限定はされないが、移動局（ＭＳ、Ｍｏｂｉｌｅ  Ｓｔａｔｉｏｎ）、移動端末（Ｍｏｂｉｌｅ  Ｔｅｒｍｉｎａｌ）、携帯電話（Ｍｏｂｉｌｅ  Ｔｅｌｅｐｈｏｎｅ）、ハンドセット（ｈａｎｄｓｅｔ）、タブレットコンピュータ、ポータブル機器（ｐｏｒｔａｂｌｅ  ｅｑｕｉｐｍｅｎｔ）などを含むユーザ機器（ＵＥ、Ｕｓｅｒ  Ｅｑｕｉｐｍｅｎｔ）であり得ることを理解されたい。
【００２９】
手が導体に近づくと、キャパシタが手と導体との間に形成される。異なるジェスチャを用いて手が導体に近づいた場合、接近距離および面積などの要因により影響を受けると、手と導体との間に形成されたキャパシタの容量は異なり得る。本発明の実施形態は、手で端末を保持するジェスチャ、すなわち保持ジェスチャを検出可能な端末を提供する。図１に示されるように、端末１００は、
手で端末１００を保持したとき手との間に少なくとも１つのキャパシタを形成するように構成された少なくとも１つの導電性シート１１０と、
少なくとも１つの導電性シート１１０と接続されたプロセッサ１２０であって、少なくとも１つのキャパシタの容量を検出し、検出された容量、および容量と保持ジェスチャとの間の事前設定された対応関係に従って、端末１００に対する保持ジェスチャを決定するように構成されたプロセッサ１２０と
を含む。
【００３０】
本発明のこの実施形態では、導電性シートが端末内に配置され、手で端末を保持する場合、導電性シートは手との間にキャパシタを形成する。異なる保持ジェスチャを用いて端末が保持された場合、端末内の導電性シートと手との間に形成されたキャパシタの容量は異なり、容量と保持ジェスチャとの間の対応関係はこの差を用いて設定される。したがって、実際の検出中に、端末に対する保持ジェスチャは、キャパシタの検出された容量と事前設定された対応関係とに従って決定され得る。
【００３１】
本発明のこの実施形態では、プロセッサ１２０の特定の形式は限定されず、以下の複数の構成方式が存在し得ることに留意されたい。
【００３２】
任意選択で、プロセッサ１２０は、容量検出チップおよびＣＰＵを含むことができ、容量検出チップ（たとえば容量検出チップは容量性センサであり得る）は、少なくとも１つの導電性シート１１０に接続され、少なくとも１つのキャパシタの容量を検出するように構成され、ＣＰＵは、容量検出チップに接続され、検出された容量と、容量および保持ジェスチャの間の事前設定された対応関係とに従って、端末１００に対する保持ジェスチャを決定するように構成される。言い換えれば、端末１００の容量検出機能は、独立した容量検出チップにより実施され得、保持ジェスチャを決定する機能は、端末１００のＣＰＵにより実施され得る。
【００３３】
任意選択で、プロセッサ１２０はＣＰＵとすることもでき、すなわち、容量検出機能および保持ジェスチャを決定する機能は、端末１００のＣＰＵに統合される。
【００３４】
任意選択で、プロセッサ１２０は、容量検出チップとすることもできる。すなわち、端末１００の容量検出機能および保持ジェスチャを決定する機能は、容量検出チップにより実施される。
【００３５】
本発明のこの実施形態では、導電性シートの材料は特に限定されておらず、導電性シートは、任意の導電性の導体で作られ得、たとえば、以下のもの：銅板、フレキシブルプリント回路ＦＰＣ（フレキシブルプリント回路、ｆｌｅｘｉｂｌｅ  Ｐｒｉｎｔｅｄ  Ｃｉｒｃｕｉｔ）、ＳＵＳ鋼板、および黒鉛のうちのいずれか１つであり得ることを理解されたい。黒鉛材料で作られた導電性シートは、端末のアンテナへの干渉がほとんどない。
【００３６】
ＥＳＤ（静電放電、ＥｌｅｃｔｒｏＳｔａｔｉｃ  Ｄｉｓｃｈａｒｇｅ）などの要因を考慮して、導電性シートは、導電性シートが露出されるのを防ぐために機械部品を用いて覆われ得る。
【００３７】
保持ジェスチャは、左手での保持、右手での保持、および両手での保持を含むことができる。
【００３８】
本発明のこの実施形態では、導電性シート１１０の数量および配置方式は特に限定されず、以下の方式が使用され得る：１つの導電性シート１１０が存在し、端末１００の左辺、もしくは右辺、または上辺、もしくは下辺に配置される；または、２つの導電性シートが存在し、端末１００の左辺および右辺に別々に配置される；または、２つの導電性シート１１０が存在し、両方とも端末１００の背面に配置され、別々に端末１００の左辺および右辺の近くにある；または、２つの導電性シートが存在し、端末１００の上辺および下辺に別々に配置される；または、２つの導電性シートが存在し、両方とも端末１００の背面に配置され、別々に端末１００の上辺および下辺の近くにある；または、４つの導電性シート１１０が存在し、端末１００の上辺、下辺、左辺、および右辺に別々に配置される；または、４つの導電性シート１１０が存在し、端末１００の背面に全て配置され、別々に端末１００の上辺、下辺、左辺、および右辺の近くにある。もちろん、導電性シート１１０の数量および特定の配置方式は、経験を利用し、実際の使用中の様々な配置方式における左手または右手を識別する精度を考慮して決定されてもよい。
【００３９】
たとえば、図２に示されるように、導電性シート１１１および導電性シート１１２は、端末１００の背面ケース（rear housing）に配置される。背面ケースは、端末１００のバッテリーを覆うことができる。導電性シート１１１は、左手で端末を保持したとき左手が配置される領域内におおよそ配置され、導電性シート１１２は、右手で端末を保持したとき右手が配置される領域内におおよそ配置される。さらに、導電性シート１１１および導電性シート１１２の両方が端末１００の背面ケースに配置されるので、導電性シート１１１および導電性シート１１２は、両手で端末１００を保持したとき両手により近くなる。
【００４０】
任意選択で、端末１００が図２の配置方式を使用する場合、導電性シート１１１および導電性シート１１２ならびに端末１００の上辺と下辺の間の距離は、端末１００の大きさに応じて決定され得る。具体的には、導電性シート１１１は、左手で端末１００を保持する場合の端末１００上の左手の被覆領域におおよそ配置され、導電性シート１１２は、右手で端末１００を保持する場合の端末１００上の右手の被覆領域におおよそ配置される。
【００４１】
具体的には、端末１００の長さ（端末１００の上辺と下辺の間の距離）が手の幅より長い場合、手は習慣的に端末１００の下部を保持し、この場合、導電性シート１１１および導電性シート１１２は背面ケースの下方位置に配置され得、端末１００の長さが手の幅に近いまたは手の幅よりわずかに長い場合、手は習慣的に端末１００の中央部を保持し、この場合、導電性シート１１１および導電性シート１１２は背面ケースの中央位置に配置され得る。
【００４２】
本発明のこの実施形態では、導電性シートの大きさ、たとえば導電性シートの長さおよび幅は（ここで長さとは、導電性シートが端末の上辺と下辺の間で伸びている距離であり、幅とは、導電性シートが端末の左辺と右辺の間で伸びている距離である）、手の一般的な大きさおよび端末の大きさなどの要因を総合的に考慮して決定され得る。たとえば、導電性シートの長さは６センチメートル以上であり、導電性シートの幅は１．５ミリメートル以上（たとえば２ミリメートル）である。
【００４３】
さらに、検出精度を確保するために、導電性シート１１０は端末１００の他の部品から絶縁され得、すなわち、導電性シート１１０は導体と直接的に接触しない。特定の配置中に、導電性シート１１０と他の導体との間のＸ／Ｙ方向の距離が０．１ミリメートルより長く、導電性シート１１０と他の導体との間のＺ方向の距離が１ミリメートルより長いということがあり得る（ここでＸＹＺ座標系は、端末１００の長さおよび幅方向をＸおよびＹ方向として用いて生成される直交座標系である）。
【００４４】
本発明のこの実施形態では、導電性シート１１０および手により形成されるキャパシタは、導電性シート１１０の配置方式と手の保持の仕方とに関連することを理解されたい。具体的には、手で端末を保持する場合、手と端末との間に複数の接触領域が存在し得、手の異なる接触領域と、接触領域内に（または接触領域の最も近くに）配置された導電性シートとが、キャパシタを形成し得る。
【００４５】
導電性シート１１０の大きさが、端末１００の実際の大きさ、手の一般的な大きさ、および手と端末１００との間の接触領域などの要因を総合的に考慮して決定され得ることも理解されたい。異なる保持ジェスチャを区別する目的をより良く達成するために、導電性シート１１０のうちの導電性シートは、異なる保持ジェスチャに対応する接触領域に別々に配置され得る。このように、保持ジェスチャを用いて手で端末１００を保持する場合、異なる接触領域内の導電性シートおよび手により形成されたキャパシタの容量は明らかに異なり、手の現在の保持の仕方はこの差を用いて決定され得る。
【００４６】
容量と保持ジェスチャとの間に複数の事前設定された対応関係が存在し得ることを理解されたい。また、導電性シートの異なる数量に応じて異なる対応関係が存在し得る。
【００４７】
具体的には、１つの導電性シートが存在する場合、対応関係は、保持ジェスチャと、手および導電性シートにより形成されたキャパシタの容量の値の範囲との間の対応関係であり得、または２つの導電性シートが存在する場合、対応関係は、保持ジェスチャと、２つの導電性シートおよび手により別々に形成されたキャパシタの容量の大小関係との間の対応関係であり得る。
【００４８】
さらに、３つ以上の導電性シートが存在する場合、対応関係は、保持ジェスチャと導電性シートとの対応関係であり得、ここで、複数の導電性シートおよび手により形成されたキャパシタの中でも、その導電性シートに対応するキャパシタの容量は、事前設定された閾値より大きい。たとえば、全部で４つの導電性シートが端末に配置され、各々が上辺、下辺、左辺および右辺に配置され、別々に手との間に第１、第２、第３および第４のキャパシタを形成する。対応関係は以下を示すために使用され得る：
第１のキャパシタの容量が事前設定された閾値より大きい場合に、手が端末の左辺を保持していると決定すること；
第２のキャパシタの容量が事前設定された閾値より大きい場合に、手が端末の右辺を保持していると決定すること；
第３のキャパシタの容量が事前設定された閾値より大きい場合に、手が端末の上辺を保持していると決定すること；
第４のキャパシタの容量が事前設定された閾値より大きい場合に、手が端末の下辺を保持していると決定すること；
第１のキャパシタおよび第３のキャパシタの両方の容量が事前設定された閾値より大きい場合に、手が端末の左上角を保持していると決定すること；
第１のキャパシタおよび第４のキャパシタの両方の容量が事前設定された閾値より大きい場合に、手が端末の左下角を保持していると決定すること；
第２のキャパシタおよび第３のキャパシタの両方の容量が事前設定された閾値より大きい場合に、手が端末の右上角を保持していると決定すること；
第２のキャパシタおよび第４のキャパシタの両方の容量が事前設定された閾値より大きい場合に、手が端末の右下角を保持していると決定すること。
【００４９】
以下、図３を参照して、例として２つの導電性シート（図３の導電性シート１１１および導電性シート１１２）を用いて説明を提供し、ここで２つの導電性シートは端末１００の左辺および右辺に、またはその付近に別々に配置される。手で端末１００を保持する場合、導電性シート１１１は手との間に第１のキャパシタを形成し、導電性シート１１２は手との間に第２のキャパシタを形成する。
【００５０】
たとえば、右手で端末１００を保持する場合、親指および人差し指の指間（web space）と右手の４本の指とが別々に端末に接触し、第１のキャパシタが右手の４本の指と導電性シート１１１とにより形成され得、第２のキャパシタが右手の親指および人差し指の指間と導電性シート１１２とにより形成され得る。同じことが左手にも当てはまる。
【００５１】
キャパシタの容量は、公式Ｃ＝Ｑ／Ｖ＝εＡ／ｄを用いて決定され得、ここでＱは導電性シートの電気量、Ｖは２つの導電性プレートの間の電位差、εは誘電率である。Ａの値は２つのキャパシタプレートの重なりの面積に依存し、ｄは２つのキャパシタプレートの間の距離である。端末１００を保持する右手を例として用いると、右手の指と、右手の親指および人差し指の指間とがそれぞれ、導電性シート１１１および導電性シート１１２との間でキャパシタを形成する場合、キャパシタプレート間の距離および／または２つのキャパシタのキャパシタプレートの面積は異なり得る。したがって、第１のキャパシタおよび第２のキャパシタの容量は異なる。端末に対する保持ジェスチャは、この特徴を用いて検出され得る。同じことが左手にも当てはまる。
【００５２】
端末１００の長さおよび幅が等しくない場合、端末の左辺および右辺は具体的には端末の長さ方向と平行な２辺を指し得、端末の幅方向に平行な２辺は端末の上辺および下辺であり（図３参照）、または、端末１００の長さおよび幅が等しい場合、端末の左辺および右辺は長さ方向の対応する２辺であり得、もしくは幅方向の対応する２辺であり得ることにさらに留意されたい。もちろん、端末の左辺および右辺は他の方式で定義され得、特に、習慣的に手で保持される端末１００の２辺が左辺および右辺であり、残りの２辺が上辺および下辺である。
【００５３】
図３の実施形態では、プロセッサ１２０は、第１の導電性シート１１１および第２の導電性シート１１２に別々に接続されており、プロセッサ１２０は、第１のキャパシタおよび第２のキャパシタの容量を別々に検出し、検出された容量、および容量と保持ジェスチャとの間の事前設定された対応関係に従って、端末１００に対する保持ジェスチャを決定するように構成される。
【００５４】
本発明のこの実施形態では、導電性シートは端末の左辺および右辺の各々に（または左辺および右辺の各々の付近に）配置され、手で端末を保持する場合、２つの導電性シートは手との間に別々にキャパシタを形成する。異なる保持ジェスチャを用いて端末が保持された場合、２つの導電性シートと手の間に形成されたキャパシタの容量は異なり、容量と保持ジェスチャとの間の対応関係はこの差を用いて設定される。したがって、実際の検出中に、端末に対する保持ジェスチャは、キャパシタの検出された容量と事前設定された対応関係とに従ってマッチングを実施することにより決定され得る。
【００５５】
本発明のこの実施形態では、容量と保持ジェスチャとの間の事前設定された対応関係は、特に限定されない。保持ジェスチャに対応する容量は、２つのキャパシタ（第１のキャパシタおよび第２のキャパシタ）の容量、もしくは２つのキャパシタの差、または２つの導電性シートの容量の任意の組合せであり得る。
【００５６】
容量と保持ジェスチャとの間の事前設定された対応関係は、第１のキャパシタの容量が第２のキャパシタの容量より大きい場合に、端末１００に対する保持ジェスチャが左手での保持であると決定すること、または、第１のキャパシタの容量が第２のキャパシタの容量より小さい場合に、端末１００に対する保持ジェスチャが右手での保持であると決定することを含むことができる。
【００５７】
たとえば、第１のキャパシタの容量が２０ｐＦと測定され、第２のキャパシタの容量が１０ｐＦと測定された場合、端末１００に対する保持ジェスチャが左手での保持であると決定され、または、第１のキャパシタの容量が１４ｐＦと測定され、第２のキャパシタの容量が１６ｐＦと測定された場合、端末１００に対する保持ジェスチャが右手での保持であると決定される。
【００５８】
任意選択で、容量と保持ジェスチャとの間の事前設定された対応関係は、第１のキャパシタの容量および第２のキャパシタの容量の差が第１の閾値より大きい場合に、端末１００に対する保持ジェスチャが左手での保持であると決定すること、または、第２のキャパシタの容量および第１のキャパシタの容量の差が第２の閾値より大きい場合に、端末１００に対する保持ジェスチャが右手での保持であると決定することを含むことができる。
【００５９】
たとえば、第１の閾値が５ｐＦであり、第１のキャパシタの容量１が２０ｐＦであって第２のキャパシタの容量２が１４ｐＦである場合、容量１−容量２＞５ｐＦであるので、端末１００に対する保持ジェスチャが左手での保持であると決定され、第２の閾値が５ｐＦであり、第１のキャパシタの容量１が１２ｐＦであって第２のキャパシタの容量２が１９ｐＦである場合、容量２−容量１＞５ｐＦであるので、端末１００に対する保持ジェスチャが右手での保持であると決定される。
【００６０】
第１および第２の閾値は同一の閾値または異なる閾値であり得、第１および第２の閾値は手動で指定され得、たとえば経験または経験的データに応じて測定され得ることを理解されたい。
【００６１】
任意選択で、容量と保持ジェスチャとの間の事前設定された対応関係は：容量データが第１のデータセットに属する場合に、端末１００に対する保持ジェスチャが左手での保持であると決定することであって、容量データは第１のキャパシタの容量および第２のキャパシタの容量により形成され、第１のデータセットは事前に決定されたデータセットであり、第１のデータセットは左手での保持に対応する、決定すること；または、容量データが第２のデータセットに属する場合に、端末１００に対する保持ジェスチャが右手での保持であると決定することであって、第２のデータセットは事前に決定されたデータセットであり、第２のデータセットが右手での保持に対応する、決定することを含むことができる。
【００６２】
容量データは容量により形成されるが、データセットの複数の特定の形成方式および特定の形式が存在し得る。具体的には、容量データはデータ点（Ａ，Ｂ）として示され得、ここでＡは第１のキャパシタの容量であり、Ｂは第２のキャパシタの容量である。これに対応して、データセットは座標系における座標領域とすることができ、座標系において、第１のキャパシタの基準容量（基準容量とは、座標領域が生成された場合に基準導電性シートに対して測定された容量である）は水平座標として用いられ、第２のキャパシタの基準容量は垂直座標として用いられ、ここで異なる領域は端末に対する異なる保持ジェスチャに対応する。異なる領域がオフラインサンプリングにより生成され得、すなわち、右手および左手で端末を保持した際にデータ点が分散された領域が、オフラインでサンプリングされる。特定の決定中に、（Ａ，Ｂ）が異なる領域のうちの領域に入る場合、その領域に対応する保持ジェスチャが、端末に対する現在の保持ジェスチャとして使用される。
【００６３】
図４を参照して例を用いて説明が提供される。図４に示された座標系における３つの領域が、オフラインサンプリングにより得られ、それぞれ、左手の領域、右手の領域、および両手の領域である。座標系において、第１のキャパシタの容量が水平軸として使用され、第２のキャパシタの容量が垂直軸として使用される。実際の検出中に、プロセッサ１２０は、第１のキャパシタの容量Ａと第２のキャパシタの容量Ｂとを別々に測定し、次いで、座標点（Ａ，Ｂ）が３つの領域のどの領域に属するかを分析する。たとえば、座標点が右手の領域に入っている場合、プロセッサ１２０は端末１００が右手で保持されていると決定する。
【００６４】
もちろん、キャパシタの容量は他の方式でも容量データを形成することができ、たとえば、比率Ｘ＝Ａ／Ｂの形式が使用され得、ここでＡは第１のキャパシタの容量であり、Ｂは第２のキャパシタの容量である。これに対応して、データセットは値の範囲であり得、異なる保持の仕方に対応する領域範囲もまた、オフラインサンプリングによって得られ得る。特定の決定中に、Ｘが値の範囲に入っている場合、値の範囲に対応する保持ジェスチャが、端末に対する現在の保持ジェスチャとして使用され得る。
【００６５】
任意選択で、第１の導電性シートおよび第２の導電性シートは、端末の左辺と右辺の間の中央線に沿って対称的に配置され得る。人間の左手および右手は対称であるので、反対側に配置された２つの導電性シートは対称的に配置され得る。左辺の導電性シートは、左手で端末１００を保持する際の左手の保持領域におおよそ配置され、右辺の導電性シートは、右手で端末１００を保持する際の右手の保持領域におおよそ配置される。このように、検出がより好都合となる。
【００６６】
任意選択で、少なくとも１つの導電性シート１１０のうちの導電性シートの長さは６センチメートル以上であり、少なくとも１つの導電性シート１１０のうちのその導電性シートの幅は１．５ミリメートル以上である。
【００６７】
さらに、図５に示されるように、プロセッサ１２０は、容量検出チップ１２１およびＣＰＵ１２２を含み、ここで、容量検出チップ１２１はＣＰＵ１２２に接続され、容量検出チップ１２１は第１の導電性シート１１１および第２の導電性シート１１２に別々に接続され、容量検出チップ１２１は第１のキャパシタおよび第２のキャパシタの容量を別々に検出するように構成され、ＣＰＵ１２２は、検出された容量、および容量と保持ジェスチャとの間の事前設定された対応関係に従って、端末１００に対する保持ジェスチャを決定するように構成される。
【００６８】
さらに、図６に示されるように、容量検出チップ１２１は、第１のピン１３１、第２のピン１３２、第３のピン１３３、および第４のピン１３４を含み、ここで第１の導電性シート１１１は第１の導線１４１により第１のピン１３１に接続され、第２の導電性シート１１２は第２の導線１４２により第２のピン１３２に接続され、第３のピン１３３は第３の導線１４３に接続され、第３の導線１４３は第１の導線１４１と平行に配置され、第４のピン１３４は第４の導線１４４に接続され、第４の導線１４４は第２の導線１４２と平行に配置される。
【００６９】
第３の導線１４３は第１の導線１４１の差動線（differential wire）であり、第４の導線１４４は第２の導線１４２の差動線であり、ここで差動線は、配線中に生成された信号エラーを補償し、端末に対する保持ジェスチャを検出する精度を向上するために使用される。距離が、差動線と導電性シートの間で維持され得（図６の距離ｄ参照）、たとえば３ミリメートルとすることで、差動線によって導電性シートにより形成されるキャパシタの容量が影響されるのを防止できることに留意されたい。
【００７０】
容量検出チップ１２１と導電性シートの間の導線ならびに端末１００の他の部品は、検出精度を向上させるために、導電性シートにより形成されたキャパシタの容量への導線および他の部品の影響が事前設定された閾値より大きくならないように端末１００内で配置されることに留意されたい。
【００７１】
たとえば、容量検出チップ１２１は容量性センサであり得、容量検出チップ１２１の各ピンの最大識別可能容量は４０ｐＦであり得、事前設定された閾値は２０ｐＦに設定され得、すなわち、端末１００の他の部品と、容量性センサのピンと導電性シートの間の導線とが、導電性シートにより形成されたキャパシタの容量への影響が２０ｐＦ以下となるように配置される。さらに、容量性センサの各ピンの配線は、検出精度が線に影響されないように、高速信号用の配線から隔離され得る。
【００７２】
以下、図７を参照して、４つの導電性シートが存在する場合の、端末１００の配置方式を説明する。図７では、導電性シートは、左辺、右辺、上辺、および下辺に別々に配置されており、それぞれ、導電性シート１１１、導電性シート１１２、導電性シート１１３、および導電性シート１１４である。
【００７３】
手で端末１００を垂直に保持する場合、手の保持の仕方は、左辺および右辺の導電性シート１１１および導電性シート１１２を用いて検出され得、図２に対応する実施形態に記載された方式が検出方式として使用され得、同様に、手で端末１００を水平に保持する場合、手の保持の仕方は、上辺および下辺の導電性シート１１３および導電性シート１１４を用いて検出され得、図２に対応する実施形態に記載された方式が検出方式として使用され得る。
【００７４】
任意選択で、他の実施形態として、少なくとも１つの導電性シート１１０は第３の導電性シートを含み、ここで第３の導電性シートは端末の左辺または右辺に配置され、または第３の導電性シートは端末の背面に配置され、少なくとも１つのキャパシタは第３の導電性シートおよび手により形成された第３のキャパシタであり、容量と保持ジェスチャとの間の事前設定された対応関係は、第３のキャパシタの容量が第１の値の範囲に属する場合に、端末に対する保持ジェスチャが左手での保持であると決定すること、または第３のキャパシタの容量が第２の値の範囲に属する場合に、端末に対する保持ジェスチャが右手での保持であると決定することを含む。
【００７５】
具体的には、この実施形態では、１つの導電性シート（すなわち、第３の導電性シート）のみが端末１００に配置され、導電性シートは、端末１００の背面に配置され得、または端末１００の左辺または右辺に配置され得る（左手および右手の保持の仕方をより良く区別し、導電性シートを端末の背面の中央領域に配置しないようにするため）。
【００７６】
少なくとも１つの導電性シートを配置することで保持ジェスチャが検出される端末が、上記において図１から図７を参照して詳細に説明されており、容量性タッチパネルを用いて保持ジェスチャが検出される端末が、下記において図８から図１３を参照して詳細に説明される。
【００７７】
図８において、端末８００は容量性タッチパネル８１０およびプロセッサ８２０を含み、ここで、
容量性タッチパネル８１０は、手が容量性タッチパネル８１０にタッチした場合に容量変化を生成するように構成され、
プロセッサ８２０は、容量変化に従って、手がタッチした容量性タッチパネル８１０上の対応するタッチ領域を決定し、タッチ領域、およびタッチ領域と保持ジェスチャとの間の事前設定された対応関係に従って、端末８００に対する保持ジェスチャを決定するように構成される。
【００７８】
本発明のこの実施形態では、手がタッチした容量性タッチパネルの対応するタッチ領域は、端末内の容量性タッチパネルにより生成された容量変化を用いて決定され、端末に対する保持ジェスチャは、タッチ領域、およびタッチ領域と保持ジェスチャとの間の事前設定された対応関係に従って知的に決定される。
【００７９】
本発明のこの実施形態では、容量性タッチパネル８１０は事前に複数のタッチ領域に分割され得、手の保持の仕方と異なるタッチ領域またはタッチ領域の組合せとの間の対応関係が生成されることを理解されたい。タッチ領域および対応関係は、検出用に向けられた保持ジェスチャの種類に応じて分類され得、これは本発明のこの実施形態に特に限定されない。
【００８０】
任意選択で、タッチ領域と保持ジェスチャとの間の事前設定された対応関係は：容量性タッチパネルを３つのタッチ領域に事前に分割することであって、第１のタッチ領域は、左手で端末を保持したとき左手の親指によりタップまたはスライドされる容量性タッチパネル上の領域であり、第２のタッチ領域は、左手で端末を保持したとき左手の掌と接触する容量性タッチパネル上の領域であり、第３のタッチ領域は、右手で端末を保持したとき右手の掌と接触する容量性タッチパネル上の領域である、分割することと；第１のタッチ領域および第２のタッチ領域に容量変化があった場合に、左手での保持が、端末に対する保持ジェスチャであると決定すること；または、第１のタッチ領域および第３のタッチ領域に容量変化があった場合に、右手での保持が、端末に対する保持ジェスチャであると決定することとを含むことができる。
【００８１】
任意選択で、タッチ領域と保持ジェスチャとの間の事前設定された対応関係は：容量性タッチパネルを３つのタッチ領域に事前に分割することであって、第１のタッチ領域は、右手で端末を保持したとき右手の親指によりタップまたはスライドされる容量性タッチパネル上の領域であり、第２のタッチ領域は、右手で端末を保持したとき右手の掌と接触する容量性タッチパネル上の領域であり、第３のタッチ領域は、左手で端末を保持したとき左手の掌と接触する容量性タッチパネル上の領域である、分割することと；第１のタッチ領域および第２のタッチ領域に容量変化があった場合に、右手での保持が、端末に対する保持ジェスチャであると決定すること；または、第１のタッチ領域および第３のタッチ領域に容量変化があった場合に、左手での保持が、端末に対する保持ジェスチャであると決定することとを含むことができる。
【００８２】
以下、図９から図１３を参照して例を用いて説明を提供する。図９に、左手で端末を保持する際に左手と接触する、容量性タッチスクリーン上の領域「１」および「２」を示す。図１０に、右手で端末を保持する際に右手と接触する、容量性タッチスクリーン上の領域「１」および「２」を示す。図９において、「１」は左手の親指と接触する領域であり、「２」は左手の掌と接触する領域である。図１０において、「１」は右手の指と接触する領域であり、「２」は右手の掌と接触する領域である。具体的には、図１１および図１２はそれぞれ、図９および図１０において２つの保持の仕方が使用された場合の、接触領域「１」および「２」により生じた、容量性タッチパネル８１０のタッチ領域における容量への影響を示す（図１１および図１２を参照すると、領域「１」および「２」における容量は、周辺の容量と異なる）。
【００８３】
手と接触する容量性タッチパネル８１０上の領域に基づいて、スクリーンは３つの部分に分割され得る。図１３に示されるように、図１３において、タッチ領域は領域Ａ、ＢおよびＣに分割される。領域Ｃは、タッチ領域の上部に配置され、タッチ領域の全面積の３分の２をおおよそ占めることがあり、領域ＡおよびＢは、タッチ領域の下部に配置され、タッチ領域の全面積の３分の１をおおよそ占めることがあり、ここで領域ＡおよびＢの各々が、その３分の１の面積のうちの半分を占める。図１３における領域分割は例にすぎず、実際には、各領域の面積は、端末の大きさおよびタッチ領域の大きさなどの要因に応じて総合的に決定されることを理解されたい。
【００８４】
たとえば、片手での端末に対する保持ジェスチャが、画面のエッジに沿った保持であるか、図９または図１０に示された画面を斜めに交差する保持ジェスチャであるかをより正確に決定するために、領域Ｃは左領域および右領域にさらに分割され得る。
【００８５】
プロセッサ８２０は、容量性タッチパネル８１０の全てのタッチ領域を毎回検出し、そして全てのタッチ領域の検出結果に従って端末８００に対する保持ジェスチャを決定し得ることを理解されたい。あるいは、プロセッサ８２０が端末８００に対する保持ジェスチャを毎回検出する際に、プロセッサ８２０は検出を連続的に実施し、端末８００に対する保持ジェスチャが現在検出されているタッチ領域に応じて決定され得る場合に、検出を停止させることができる。この検出方式では、端末８００に対する保持ジェスチャが、容量性タッチパネル８１０の全ての領域を毎回検出することなく決定され得る。
【００８６】
たとえば、タッチ領域が図１３の方式で分割され、端末１００が左手または右手のいずれにより保持されているかが検出された場合、検出は以下のシーケンスで実施され得る：まず、領域Ｃを検出し；領域Ｃに容量変化がない場合、手で端末８００を保持していないと決定し；領域Ｃに容量変化がある場合、領域Ａを検出し続け；領域Ａに容量変化がある場合、左手で端末を保持していると決定し；領域Ａに容量変化がない場合、領域Ｂを検出し続け；領域Ｂに容量変化がある場合、右手で端末を保持していると決定する。
【００８７】
端末８００が、容量性タッチスクリーンを有する端末、たとえばスマートフォンまたはタブレットコンピュータであり得ることは理解されよう。
【００８８】
図１４は、本発明の実施形態による端末に対する保持ジェスチャを検出するための方法のフローチャートである。図１４の方法は、前述の端末８００により実行され得る。図１４において、端末８００は２つの保持ジェスチャ、すなわち左手での保持および右手での保持を検出することができる。図１４において、容量性タッチパネル８１０のタッチ領域は、図１３の方式で分割される。
【００８９】
１４１０：容量性タッチパネル上の容量変化の検出の実施を開始する。
【００９０】
具体的には、端末８００は、ある周期に従って容量性タッチパネル上での検出を実施することができ、または、ユーザの指示に従って検出を開始および終了させることができ、これは本発明のこの実施形態に特に限定されない。
【００９１】
１４２０：領域Ｃの容量が変化したかを検出する。
【００９２】
領域Ｃの容量が変化した場合、ステップ１４３０が実施され、領域Ｃの容量が変化しなかった場合、ステップ１４１０に戻る。
【００９３】
１４３０：領域Ａの容量が変化したかを検出する。
【００９４】
領域Ａの容量が変化した場合、ステップ１４４０が実施され、領域Ａの容量が変化しなかった場合、ステップ１４５０が実施される。
【００９５】
１４４０：保持の仕方が左手での保持であると決定する。
【００９６】
１４５０：領域Ｂの容量が変化したかを検出する。
【００９７】
領域Ｂの容量が変化した場合、ステップ１４６０が実施され、領域Ｂの容量が変化しなかった場合、ステップ１４１０に戻る。
【００９８】
１４６０：保持の仕方が右手での保持であると決定する。
【００９９】
さらに、端末８００の保持の仕方が左手での保持または右手での保持であると決定された場合、ステップ１４７０がさらに実施され得る。
【０１００】
１４７０：検出結果を上位レイヤのアプリケーションに返す。
【０１０１】
本発明のこの実施形態では、手がタッチしている容量性タッチパネルの対応するタッチ領域は、端末内に配置された容量性タッチパネルにより生成される容量変化を用いて決定され、端末に対する保持ジェスチャは、タッチ領域、およびタッチ領域と保持ジェスチャとの間の事前設定された対応関係に従って決定される。
【０１０２】
端末に対する保持ジェスチャを知的に決定可能な端末および方法が、図１から図１４を参照して上記で詳細に説明されており、端末および方法のアプリケーションが以下で説明される。
【０１０３】
アプリケーションシナリオ１：ＵＩシナリオが、決定された保持ジェスチャに従って知的に調整され、または携帯電話の仮想キーボード、ミュージックプレーヤー、もしくはアンロックインターフェースが、決定された保持ジェスチャに従って調整される。
【０１０４】
具体的には、右手での保持が検出された場合、タッチスクリーン上に表示されたＵＩシナリオ、またはユーザが情報を入力する必要がある操作インターフェースは、好ましくは右手のみで操作を実施できるように、右方領域に自動的に調整され得る。たとえば、携帯電話が右手で保持されていることが検出された場合、携帯電話の仮想キーボード、ミュージックプレーヤー、アンロックインターフェースなどが、携帯電話の右側に表示され得る。
【０１０５】
アプリケーションシナリオ２：ランドスケープモードとポートレートモードとの間の不必要な切り替えが、決定された保持ジェスチャに従って回避される。
【０１０６】
具体的には、ユーザが横たわっており、携帯電話を左手で保持している場合、携帯電話はポートレートモードからランドスケープモードに自動的に切り替わるが、このシナリオでは、ユーザは実際には携帯電話をポートレートモードからランドスケープモードに切り替えようとしていない。本発明の実施形態における端末を用いることで、ランドスケープモードとポートレートモードとの間の切り替えが実施されるか否かが、手の保持の仕方に従って決定され、または、ランドスケープモードもしくはポートレートモードでの表示が、手の保持の仕方に従って決定されることが設定され得、これは前述のケースを効果的に回避し、ユーザ体験を改善する。
【０１０７】
前述のアプリケーションは例示的な目的でのみ説明されており、実際には、左手および右手のアプリケーションシナリオは、本発明の実施形態に特に限定されない要件に従って設定され得ることに留意されたい。
【０１０８】
当業者は、本明細書で開示された実施形態に記載された例と組み合わせて、ユニットおよびアルゴリズムのステップが、電子機器（electronic hardware）またはコンピュータソフトウェアおよび電子機器の組合せにより実装され得ることを認識するであろう。機能がハードウェアまたはハードウェアならびにソフトウェアのいずれにより実施されるかは、技術的解決方法の特定のアプリケーションおよび設計の制約条件に依存する。当業者は、特定のアプリケーションごとに記載された機能を実装するために異なる方法を使用できるが、実装が本発明の範囲を逸脱するとみなされるべきではない。
【０１０９】
好都合かつ簡潔な説明の目的で、前述のシステム、装置およびユニットの詳細な動作プロセスについて、前述の方法の実施形態における対応するプロセスに対して参照がなされ得ることは当業者に明確に理解されるであろうし、詳細は本明細書において再度説明されない。
【０１１０】
本出願で提供されたいくつかの実施形態において、開示された装置および方法が他の方式で実装され得ることを理解されたい。たとえば、開示された装置の実施形態は例示的なものにすぎない。たとえば、ユニットの分割は、論理的な機能の分割にすぎず、実際の実装では他の分割であり得る。たとえば、複数のユニットまたはコンポーネントは、結合もしくは他のシステムに統合される場合があり、またはいくつかの機能は、無視もしくは実施されない場合がある。加えて、表示されたまたは論じられた相互結合もしくは直接結合または通信接続は、いくつかのインターフェースを用いて実装され得る。装置間またはユニット間の間接結合または通信接続は、電子的、機械的、または他の形式で実装され得る。
【０１１１】
別々の部品として記載されたユニットは、物理的に分離していてもしていなくてもよく、ユニットとして表示された部品は物理的なユニットであってもなくてもよく、１つの位置に配置されてもよく、または複数のネットワークユニットに分散されていてもよい。ユニットの一部または全部は、実施形態の解決方法の目的を実現するという実際のニーズに従って選択され得る。
【０１１２】
加えて、本発明の実施形態の機能ユニットは、１つの処理ユニットに統合されてもよく、もしくはユニットの各々は物理的に単独で存在していてもよく、または２つ以上のユニットが１つのユニットに統合される。
【０１１３】
機能がソフトウェアの機能ユニットの形式で実装され、独立した製品として販売または使用される場合、機能はコンピュータ可読記憶媒体に格納され得る。そのような理解に基づいて、本発明の技術的解決方法は本質的に、もしくは従来技術に貢献する部分は、または技術的解決方法の一部は、ソフトウェア製品の形式で実装され得る。コンピュータソフトウェア製品は記憶媒体に格納され、コンピュータデバイス（これはパーソナルコンピュータ、サーバ、またはネットワークデバイスであり得る）に、本発明の実施形態に記載された方法のステップの全部または一部を実施するように指示するためのいくつかの命令を含む。前述の記憶媒体は、プログラムコードを格納できる任意の媒体、たとえばＵＳＢフラッシュドライブ、リムーバブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光学ディスクを含む。
【０１１４】
前述の説明は、本発明の特定の実装方式にすぎないが、本発明の保護範囲を限定することが意図されていない。本発明で開示された技術的範囲内で当業者に容易に理解されるいかなる変更または置換も、本発明の保護範囲に入るものとする。したがって、本発明の保護範囲は、特許請求の範囲の保護範囲に従うものとする。
【図１】
2016538648.tif 000003
【図２】
2016538648.tif 000004
【図３】
2016538648.tif 000005
【図５】
2016538648.tif 000006
【図６】
2016538648.tif 000007
【図７】
2016538648.tif 000008
【図８】
2016538648.tif 000009
【図１１】
2016538648.tif 000010
【図１２】
2016538648.tif 000011
【図１４】
2016538648.tif 000012
【図４】
2016538648.tif 000013
【図９】
2016538648.tif 000014
【図１０】
2016538648.tif 000015
【図１３】
2016538648.tif 000016
【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
端末であって、
手で前記端末を保持したとき前記手との間に少なくとも１つのキャパシタを形成するように構成された少なくとも１つの導電性シートと、
前記少なくとも１つの導電性シートと接続されたプロセッサであって、前記少なくとも１つのキャパシタの容量を検出し、前記検出された容量、および容量と保持ジェスチャとの間の事前設定された対応関係に従って、前記端末に対する保持ジェスチャを決定するように構成されたプロセッサと
を備えることを特徴とする端末。
【請求項２】
前記少なくとも１つの導電性シートは、前記端末の左辺および右辺に、またはその付近にそれぞれ配置された第１の導電性シートおよび第２の導電性シートを備え、
手で前記端末を保持したとき前記手との間に少なくとも１つのキャパシタを形成するように構成された前記少なくとも１つの導電性シートは、特に、
前記手で前記端末を保持したとき前記手との間に第１のキャパシタおよび第２のキャパシタをそれぞれ形成する前記第１の導電性シートおよび前記第２の導電性シートであり、
前記少なくとも１つの導電性シートと接続された前記プロセッサであって、前記少なくとも１つのキャパシタの容量を検出し、前記検出された容量、および容量と保持ジェスチャとの間の事前設定された対応関係に従って、前記端末に対する保持ジェスチャを決定するように構成された前記プロセッサは、特に、
前記第１の導電性シートおよび前記第２の導電性シートに別々に接続された前記プロセッサであって、前記第１のキャパシタおよび前記第２のキャパシタの容量を別々に検出し、前記検出された容量と、前記容量と前記保持ジェスチャとの間の前記事前設定された対応関係とに従って、前記端末に対する前記保持ジェスチャを決定するように構成された前記プロセッサである
ことを特徴とする請求項１に記載の端末。
【請求項３】
前記容量と前記保持ジェスチャとの間の前記事前設定された対応関係は、
前記第１のキャパシタの前記容量が前記第２のキャパシタの前記容量より大きい場合に、前記端末に対する前記保持ジェスチャが左手での保持であると決定すること、または、
前記第１のキャパシタの前記容量が前記第２のキャパシタの前記容量より小さい場合に、前記端末に対する前記保持ジェスチャが右手での保持であると決定すること
を備えることを特徴とする請求項２に記載の端末。
【請求項４】
前記容量と前記保持ジェスチャとの間の前記事前設定された対応関係は、
前記第１のキャパシタの前記容量と前記第２のキャパシタの前記容量との差が第１の閾値より大きい場合に、前記端末に対する前記保持ジェスチャが左手での保持であると決定すること、または、
前記第２のキャパシタの前記容量と前記第１のキャパシタの前記容量との差が第２の閾値より大きい場合に、前記端末に対する前記保持ジェスチャが右手での保持であると決定すること
を備えることを特徴とする請求項２に記載の端末。
【請求項５】
前記容量と前記保持ジェスチャとの間の前記事前設定された対応関係は、
容量データが第１のデータセットに属する場合に、前記端末に対する前記保持ジェスチャが左手での保持であると決定することであって、前記容量データは前記第１のキャパシタの前記容量および前記第２のキャパシタの前記容量を含み、前記第１のデータセットは事前に決定されたデータセットであり、前記第１のデータセットは左手での保持に対応する、決定すること、または、
容量データが第２のデータセットに属する場合に、前記端末に対する前記保持ジェスチャが右手での保持であると決定することであって、前記第２のデータセットは事前に決定されたデータセットであり、前記第２のデータセットは前記右手での保持に対応する、決定すること
を備えることを特徴とする請求項２に記載の端末。
【請求項６】
前記容量データは、前記第１のキャパシタの前記容量である水平座標と、前記第２のキャパシタの前記容量である垂直座標とを有するデータ点であり、前記第１のデータセットおよび前記第２のデータセットは座標系における座標領域であることを特徴とする請求項５に記載の端末。
【請求項７】
前記第１の導電性シートおよび前記第２の導電性シートは、前記端末の左辺と右辺の間の中央線に沿って対称的に配置されることを特徴とする請求項２乃至６のいずれか一項に記載の端末。
【請求項８】
前記プロセッサは容量検出チップおよびＣＰＵを備え、前記容量検出チップは前記ＣＰＵに接続され、前記容量検出チップは前記第１の導電性シートおよび前記第２の導電性シートに別々に接続され、
前記容量検出チップは、前記第１のキャパシタおよび前記第２のキャパシタの前記容量を別々に検出するように構成され、
前記ＣＰＵは、前記検出された容量と、前記容量と前記保持ジェスチャとの間の前記事前設定された対応関係とに従って、前記端末に対する前記保持ジェスチャを決定するように構成された
ことを特徴とする請求項２乃至７のいずれか一項に記載の端末。
【請求項９】
前記容量検出チップは複数のピンを備え、前記第１の導電性シートは第１の導線を用いて前記複数のピンのうちの第１のピンに接続され、前記第２の導電性シートは第２の導線を用いて前記複数のピンのうちの第２のピンに接続され、
前記複数のピンは第３のピンおよび第４のピンをさらに備え、前記第３のピンは第３の導線に接続され、前記第３の導線は前記第１の導線と平行に配置され、前記第４のピンは第４の導線に接続され、前記第４の導線は前記第２の導線と平行に配置される
ことを特徴とする請求項８に記載の端末。
【請求項１０】
前記少なくとも１つの導電性シートは第３の導電性シートを含み、前記第３の導電性シートは前記端末の左辺または右辺に配置され、または前記第３の導電性シートは前記端末の背面に配置され、前記少なくとも１つのキャパシタは前記第３の導電性シートおよび前記手により形成された第３のキャパシタであり、
前記容量と前記保持ジェスチャとの間の前記事前設定された対応関係は、
前記第３のキャパシタの容量が第１の値の範囲に属する場合に、前記端末に対する前記保持ジェスチャが左手での保持であると決定すること、または
前記第３のキャパシタの容量が第２の値の範囲に属する場合に、前記端末に対する前記保持ジェスチャが右手での保持であると決定すること
を備えることを特徴とする請求項１に記載の端末。
【請求項１１】
前記少なくとも１つの導電性シートのうちの導電性シートの長さは６センチメートル以上であり、前記少なくとも１つの導電性シートのうちの前記導電性シートの幅は１．５ミリメートル以上であることを特徴とする請求項１乃至１０のいずれか一項に記載の端末。
【請求項１２】
前記少なくとも１つの導電性シートのうちの導電性シートは、銅板、フレキシブルプリント回路、ＦＰＣ、ＳＵＳ鋼板、および黒鉛のうちのいずれか１つであることを特徴とする請求項１乃至１１のいずれか一項に記載の端末。
【請求項１３】
前記プロセッサは容量検出チップおよびＣＰＵを備え、
前記容量検出チップは、前記少なくとも１つの導電性シートに接続され、前記少なくとも１つのキャパシタの前記容量を検出するように構成され、
前記ＣＰＵは、前記容量検出チップに接続され、前記検出された容量、および容量と保持ジェスチャとの間の前記事前設定された対応関係に従って、前記端末に対する前記保持ジェスチャを決定するように構成された
ことを特徴とする請求項１に記載の端末。
【請求項１４】
前記プロセッサはＣＰＵであることを特徴とする請求項１に記載の端末。
【請求項１５】
前記プロセッサは容量検出チップであることを特徴とする請求項１に記載の端末。
【国際調査報告】
2016538648.tif 000017
2016538648.tif 000018
2016538648.tif 000019
2016538648.tif 000020
2016538648.tif 000021